(57)【要約】【課題】検索に有益なデータを撮影画像に関連付ける。【解決手段】対象画像の撮影準備期間において、収音によって得られた被写体（ＳＵＢ）及び撮影者（ＰＴＧ）の音響信号を文字データ（４０１、４０２）に変換し、スルー画像と共に表示する。撮影者が、表示されている何れかの文字データを選択すると選択文字データが対象文字データに含められる。シャッタ操作が入力されると、対象画像が撮影されて、対象画像の画像データ及び対象文字データを格納した画像ファイルが記録媒体に記録される。【選択図】図１０
2014216904.tif 000002
【特許請求の範囲】
【請求項１】
撮影により対象画像の画像データを取得する撮像装置において、
収音により音響信号を取得する音響信号取得部と、
前記対象画像の撮影準備期間又は撮影期間中の音響信号に基づく文字データを取得する文字データ取得部と、
前記文字データを表示する表示部と、
表示文字データの全部又は一部を選択する操作を受ける操作部と、
選択文字データを対象文字データとし、前記対象画像の画像データと前記対象文字データを互いに関連付けて記録媒体に記録する制御部と、を備えた
ことを特徴とする撮像装置。
【請求項２】
前記音響信号取得部は、当該撮像装置を基準として、所定の第１領域から到来した音の音響信号である第１音響信号と、前記第１領域と異なる所定の第２領域から到来した音の音響信号である第２音響信号と、を分離して取得し、
前記表示部は、前記第１音響信号に基づく文字データと前記第２音響信号に基づく文字データを、互いに異なる表示領域に表示する
ことを特徴とする請求項１に記載の撮像装置。
【請求項３】
前記表示部は、前記文字データ取得部により取得された文字データを繰り返し表示可能であり、前記文字データ取得部により取得された特定の文字データが前記操作によって選択された後、前記特定の文字データを再び表示する際、当該選択の前との比較において前記特定の文字データの表示形式を変化させる
ことを特徴とする請求項１又は２に記載の撮像装置。
【請求項４】
前記対象画像の画像データの前記記録媒体への記録後、前記対象画像を前記表示部に表示している再生期間において、前記文字データ取得部は、前記再生期間中に収音された音響信号から再生中文字データを取得し、且つ、前記表示部は、前記対象画像とともに前記再生中文字データを表示し、且つ、前記操作部は、表示された再生中文字データの全部又は一部を選択する第２操作を受け付け、
前記第２操作が入力されたとき、前記制御部は、前記第２操作にて選択された再生中文字データを前記対象文字データに含めて前記記録媒体に記録する
ことを特徴とする請求項１乃至３の何れかに記載の撮像装置。
【請求項５】
前記制御部は、前記記録媒体内の共通の画像ファイルに前記対象画像の画像データと前記対象文字データを格納することで、前記対象画像の画像データと前記対象文字データを互いに関連付ける
ことを特徴とする請求項１乃至４の何れかに記載の撮像装置。
【請求項６】
前記対象画像を含む複数の被検索画像の中から、与えられた検索条件に対応する対象文字データが関連付けられた被検索画像を抽出する検索部を更に備えた
ことを特徴とする請求項１乃至５の何れかに記載の撮像装置。
【請求項７】
対象画像の画像データ及び音響データの入力を受けるデータ入力部と、
前記音響データに基づく文字データを取得する文字データ取得部と、
前記対象画像とともに前記文字データを表示する表示部と、
表示文字データの全部又は一部を選択する操作を受ける操作部と、
選択文字データを対象文字データとし、前記対象画像の画像データと前記対象文字データを互いに関連付けて記録媒体に記録する制御部と、を備えた
ことを特徴とする画像再生装置。
【請求項８】
前記対象画像を前記表示部に表示している再生期間において、収音により再生中音響信号を取得する音響信号取得部を更に備え、
前記再生期間において、前記文字データ取得部は、前記再生中音響信号から再生中文字データを取得し、且つ、前記操作部は、表示された再生中文字データの全部又は一部を選択する第２操作を受け付け、
前記第２操作が入力されたとき、前記制御部は、前記第２操作にて選択された再生中文字データを前記対象文字データに含めて前記記録媒体に記録する
ことを特徴とする請求項７に記載の画像再生装置。
【請求項９】
撮影により対象画像の画像データを取得する撮像装置に用いられるデータ記録方法であって、
収音により音響信号を取得する音響信号取得ステップと、
前記対象画像の撮影準備期間又は撮影期間中の音響信号に基づく文字データを取得する文字データ取得ステップと、
前記文字データを表示する表示ステップと、
表示文字データの全部又は一部を選択する操作を受ける操作受付ステップと、
選択文字データを対象文字データとし、前記対象画像の画像データと前記対象文字データを互いに関連付けて記録媒体に記録する制御ステップと、を備えた
ことを特徴とするデータ記録方法。
【請求項１０】
請求項９に記載のデータ記録方法をコンピュータに実現させるプログラム。
【請求項１１】
対象画像の画像データ及び音響データの入力を受けるデータ入力ステップと、
前記音響データに基づく文字データを取得する文字データ取得ステップと、
前記対象画像とともに前記文字データを表示する表示ステップと、
表示文字データの全部又は一部を選択する操作を受ける操作受付ステップと、
選択文字データを対象文字データとし、前記対象画像の画像データと前記対象文字データを互いに関連付けて記録媒体に記録する制御ステップと、を備えた
ことを特徴とする画像再生方法。
【請求項１２】
請求項１１に記載の画像再生方法をコンピュータに実現させるプログラム。
【発明の詳細な説明】
【技術分野】
【０００１】
本発明は、撮像装置、画像再生装置、データ記録方法、画像再生方法及びプログラムに関する。
【背景技術】
【０００２】
近年、記録媒体の大容量化に伴って大量の画像を記録媒体に記録することが可能となっている。このため、大量の画像の中から所望の画像を効率的に見つけ出すための検索方法又は分類方法が求められている。
【０００３】
これに鑑み、下記特許文献１では、撮影モード（マクロ、人物、風景モード等）を選択するためのモードダイヤルを有したデジタルカメラにおいて、撮影画像を撮影モード情報と関連付けて記録し、再生時に、撮影モードに対応する撮影画像を検索して表示する方法が開示されている。
【先行技術文献】
【特許文献】
【０００４】
【特許文献１】特開２００４−１２０２２５公報
【発明の概要】
【発明が解決しようとする課題】
【０００５】
しかしながら、数個程度しか種類の無い撮影モードを頼りに、大量の画像の中から所望の画像を探し出すことは難しい。画像を詳細に特徴付けるようなデータを画像に関連付けることができれば、所望画像の検索及び抽出が容易になる。
【０００６】
そこで本発明は、画像を詳細に特徴付けるデータの画像への関連付けに寄与する撮像装置、画像再生装置、データ記録方法、画像再生方法及びプログラムを提供することを目的とする。
【課題を解決するための手段】
【０００７】
本発明に係る撮像装置は、撮影により対象画像の画像データを取得する撮像装置において、収音により音響信号を取得する音響信号取得部と、前記対象画像の撮影準備期間又は撮影期間中の音響信号に基づく文字データを取得する文字データ取得部と、前記文字データを表示する表示部と、表示文字データの全部又は一部を選択する操作を受ける操作部と、選択文字データを対象文字データとし、前記対象画像の画像データと前記対象文字データを互いに関連付けて記録媒体に記録する制御部と、を備えたことを特徴とする。
【０００８】
これにより、対象画像の撮影環境等を反映した文字データを、簡単に対象画像に関連付けることができる。当該文字データは、画像を詳細に特徴付ける文字データでありうるため、検索等の容易化が期待される。
【０００９】
本発明に係る画像再生装置は、対象画像の画像データ及び音響データの入力を受けるデータ入力部と、前記音響データに基づく文字データを取得する文字データ取得部と、前記対象画像とともに前記文字データを表示する表示部と、表示文字データの全部又は一部を選択する操作を受ける操作部と、選択文字データを対象文字データとし、前記対象画像の画像データと前記対象文字データを互いに関連付けて記録媒体に記録する制御部と、を備えたことを特徴とする。
【００１０】
これにより、対象画像の撮影環境等を反映した文字データを、簡単に対象画像に関連付けることができる。当該文字データは、画像を詳細に特徴付ける文字データでありうるため、検索等の容易化が期待される。
【００１１】
本発明に係るデータ記録方法は、撮影により対象画像の画像データを取得する撮像装置に用いられるデータ記録方法であって、収音により音響信号を取得する音響信号取得ステップと、前記対象画像の撮影準備期間又は撮影期間中の音響信号に基づく文字データを取得する文字データ取得ステップと、前記文字データを表示する表示ステップと、表示文字データの全部又は一部を選択する操作を受ける操作受付ステップと、選択文字データを対象文字データとし、前記対象画像の画像データと前記対象文字データを互いに関連付けて記録媒体に記録する制御ステップと、を備えたことを特徴とする。
【００１２】
そして、当該データ記録方法をコンピュータに実現させるプログラムを形成すると良い。
【００１３】
本発明に係る画像再生方法は、対象画像の画像データ及び音響データの入力を受けるデータ入力ステップと、前記音響データに基づく文字データを取得する文字データ取得ステップと、前記対象画像とともに前記文字データを表示する表示ステップと、表示文字データの全部又は一部を選択する操作を受ける操作受付ステップと、選択文字データを対象文字データとし、前記対象画像の画像データと前記対象文字データを互いに関連付けて記録媒体に記録する制御ステップと、を備えたことを特徴とする。
【００１４】
そして、当該画像再生方法をコンピュータに実現させるプログラムを形成すると良い。
【発明の効果】
【００１５】
本発明によれば、画像を詳細に特徴付けるデータの画像への関連付けに寄与する撮像装置、画像再生装置、データ記録方法、画像再生方法及びプログラムを提供することが可能である。
【図面の簡単な説明】
【００１６】
【図１】本発明の実施形態に係るカメラの概略全体ブロック図である。
【図２】図１の撮像部の内部構成図である。
【図３】カメラがネットワーク網を介してサーバ装置に接続されている様子を示す図である。
【図４】画像ファイルの構造を示す図である。
【図５】カメラの外観と被写体を示す図である。
【図６】カメラ及び被写体を内包する空間を上方から見た図である。
【図７】カメラに内包される音響信号取得部を示す図である。
【図８】複数の画像ファイルを示す図である。
【図９】本発明の第１実施例に係るカメラの動作フローチャートである。
【図１０】本発明の第１実施例に係り、撮影モードにおける表示画面の様子を示す図である。
【図１１】表示画面に複数の表示領域が設定される様子を示す図である。
【図１２】各対象静止画像の撮影準備期間及び撮影タイミングを示す図である。
【図１３】カメラ及び被写体を内包する空間を上方から見た図である。
【図１４】本発明の第２実施例に係るカメラの動作フローチャートである。
【図１５】本発明の第３実施例に係り、再生モードにおける表示画面の様子を示す図である。
【図１６】本発明の第４実施例に係り、再生モードにおける表示画面の様子を示す図である。
【図１７】本発明の第４実施例に係り、再生モードにおける表示画面の様子を示す図である。
【図１８】カメラ内及びカメラ外の画像再生装置を示す図である。
【発明を実施するための形態】
【００１７】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１８】
図１は、本発明の実施形態に係るカメラ１の構成ブロック図である。撮像装置としてのカメラ１は、静止画像及び動画像を撮影及び記録可能なデジタルビデオカメラ、又は、静止画像のみを撮影及び記録可能なデジタルスチルカメラである。カメラ１は、符号１１〜２１によって参照される各部位を備える。
【００１９】
図２は、撮像部１１の内部構成図である。撮像部１１は、撮像素子３３、ドライバ３４及び光学系３５を備える。撮像素子３３は、ＣＣＤ（Charge Coupled Device）又はＣＭＯＳ（Complementary Metal Oxide Semiconductor）イメージセンサなどから成る固体撮像素子である。光学系３５は、焦点距離の調整用のズームレンズ３０及び焦点合わせ用のフォーカスレンズ３１を含む複数枚のレンズと、撮像素子３３への入射光量の調整用の絞り３２と、を備える。ドライバ３４は、モータ等にて形成され、主制御部１３からの駆動制御信号に基づき、レンズ３０及び３１を撮像部１１の光軸３００の方向に移動させることで撮像部１１の焦点距離及び焦点位置を変更すると共に絞り３２の開度を調整することで上記入射光量を調整する。撮像素子３３に対し、光学系３５を介して撮影領域内からの光（被写体からの光）が入射する。撮像素子３３は、入射光に応じた画像信号を光電変換によって生成し、該画像信号を撮像部１１の出力信号として出力する。撮像部１１によって撮影された、撮像素子３３の出力信号に基づく画像を撮影画像又はフレームと呼ぶ。
【００２０】
画像信号処理部１２は、撮像部１１の出力信号に対して所定の画像信号処理（ＡＤ変換、ノイズ低減処理、デモザイキング処理、信号圧縮処理等）を施すことで撮影画像の画像データを生成する。主制御部１３は、ＣＰＵ（Central Processing Unit）、ＲＯＭ（Read Only Memory）及びＲＡＭ（Random Access Memory）等にて形成され、操作部１６に入力された各種指示及び操作に従いつつ、カメラ１内の各部位の動作を統括的に制御する。表示部１４は、液晶ディスプレイパネル等から成る表示画面を含み、主制御部１３の制御の下、任意の映像を表示する。記録媒体１５は、半導体メモリや磁気ディスク等にて形成された不揮発性の記録媒体であり、主制御部１３の制御の下、任意の信号及びデータを記録する。操作部１６は、押しボタン等の機械式操作部材及び／又は表示部１４に設けられうるタッチパネルにて形成され、ユーザからの各種指示及び操作の入力を受け付ける。
【００２１】
収音部１７は、カメラ１の周辺音を収音する１以上のマイクロホンから成り、該周辺音を音響信号に変換して出力する。音響信号処理部１８は、収音部１７の出力音響信号に対し所定の音響信号処理（ＡＤ変換、ノイズ低減処理、指向性制御、信号圧縮処理等）を施すことで音響データを生成する。
【００２２】
文字データ取得部１９は、文字変換処理を介し、音響データに基づく（従って音響信号に基づく）文字データを取得する。文字変換処理は、音響データに基づき音響データに含まれる人の発音成分を抽出し、抽出成分から当該発音の内容を文字として出力する処理であり、当該文字が文字データにて表現される。取得部１９自体が文字変換処理を行っても良い。或いは、カメラ１以外の外部装置にて文字変換処理が行われても良い。この場合例えば、図３に示す如く、ネットワーク網を介して、外部装置の例であるサーバ装置１００と通信可能になるようにカメラ１を形成しておく。そして、取得部１９が音響データ及び文字変換要求をサーバ装置１００に送信し、これに応答して、サーバ装置１００が受信した音響データに対し文字変換処理を実行する。サーバ装置１００は、これによって得た文字データをカメラ１に返信する。取得部１９は、サーバ装置１００からの返信を受けることで所望の文字データを取得可能である。図１のファイル検索部２０については後述する。スピーカ部２１は、任意の音響データを音として出力する。
【００２３】
カメラ１は、ユーザ（撮影者）により操作部１６に入力された所定の撮影指示に応答して、静止画像としての撮影画像又は動画像としての撮影画像を取得することができ、取得した静止画像又は動画像の画像データを記録媒体１５に記録することができる。撮影指示に応答して取得され且つ記録媒体１５に記録される静止画像又は動画像を、以下、対象画像と呼ぶ。静止画像と動画像を特に区別する必要がある場合、静止画像としての対象画像を対象静止画像と呼び、動画像としての対象画像を対象動画像と呼ぶ。
【００２４】
対象画像の画像データの記録制御は、主制御部１３（例えば主制御部１３内の記録制御部）が担う。主制御部１３は、任意のファイル規格に準拠した画像ファイルを記録媒体１５内に生成し、当該画像ファイル内に対象画像の画像データを格納することで当該画像データの記録を実現する。図４に、１つの画像ファイルＦＬの構造を示す。画像ファイルＦＬは、対象画像の画像データが格納される本体領域と、対象画像の付加情報（撮影時の焦点距離、撮影日時など）が格納されるヘッダ領域より形成される。例えば、画像ファイルＦＬを、Ｅｘｉｆ（Exchangeable image file format）のファイル規格に準拠させることができる。Ｅｘｉｆのファイル規格において、ヘッダ領域はＥｘｉｆタグ又はＥｘｉｆ領域とも呼ばれる。対象画像が動画像である場合、対象動画像の画像データに加えて対象動画像の音響データ（即ち、対象動画像の撮影期間中の音響信号に基づく音響データ）も、本体領域に格納される（従って記録媒体１５に記録される）。１つの画像ファイルＦＬにおいて、ヘッダ領域に格納された任意の情報及びデータと、本体領域に格納された画像データ及び音響データは、当然、互いに関連付けられることになる。
【００２５】
図５に、カメラ１の外観図と、カメラ１の撮影領域内に収まる被写体ＳＵＢを示す。カメラ１の被写体に人物以外の物体が含まれていても良いが、ここでは、被写体ＳＵＢが人であるとする。カメラ１は、所定のフレームレートでフレームの順次取得を行い、順次取得されたフレームを動画像として表示部１４に表示するスルー処理を実行することができる。スルー処理での表示画像を見ることで、ユーザ（撮影者）は撮影構図を確認することができる。尚、本実施形態において、特に記述無き限り、表示、表示画面及び表示画像とは、表示部１４における表示、表示画面及び表示画像を指す。
【００２６】
図６は、カメラ１及び被写体ＳＵＢを内包する空間を上方から見た図である。図６において、斜線領域３１０は、カメラ１の撮影領域の全部又は一部を内包する領域（被写体側領域）であり、ドット領域３２０は、表示画面を視認可能な領域の全部又は一部を内包する領域（撮影者側領域）である。ＰＴＧは、ユーザとしての撮影者を表している。領域３１０及び３２０は互いに異なる領域である。撮影画像に収まるべき被写体ＳＵＢは領域３１０内に存在し、撮影者ＰＴＧは領域３２０内に存在する。図６では、領域３１０及び３２０のどちらにも属さない領域が存在しているが、領域３１０及び３２０のどちらにも属さない領域が存在しないように、領域３１０及び３２０が設定されていても良い。
【００２７】
収音部１７及び音響信号処理部１８から成る音響信号取得部４０（図７参照）は、カメラ１を基準として、所定の第１方向から到来した音の音響信号３１１と、当該第１方向と異なる所定の第２方向から到来した音の音響信号３１２と、を分離して取得することができる。換言すれば、音響信号取得部４０は、カメラ１を基準として、所定の第１領域（第１範囲）から到来した音の音響信号３１１と、当該第１領域と異なる所定の第２領域（第２範囲）から到来した音の音響信号３１２と、を分離して取得することができる。領域３１０及び３２０は、夫々、第１及び第２領域の例である。ここで、第１方向は領域３１０内の位置からカメラ１に向かう方向であり、第２方向は領域３２０内の位置からカメラ１に向かう方向である。従って、被写体ＳＵＢが発生した音の信号成分は音響信号３１１に含まれる一方、撮影者ＰＴＧが発生した音の信号成分は音響信号３１２に含まれる。故に、以下では、音響信号３１１、３１２を、夫々、被写体側音響信号、撮影者側音響信号と呼ぶことがある。第１及び第２方向の夫々は、所定の角度幅を持った方向である、と解することができる。文字データ取得部１９は、音響信号３１１及び３１２の夫々に対し個別に文字変換処理を適用することができる。
【００２８】
例えば、カメラ１の筐体上の互いに異なる位置に配置され且つ各々に収音によって音響信号を生成及び出力する２以上のマイクロホンを収音部１７に設けておく。そして、各マイクロホンの出力音響信号の位相差を利用した指向性制御を用い、各マイクロホンの出力音響信号から音響信号３１１及び３１２を分離抽出することができる。或いは例えば、第１方向から到来した音に対して高い感度を有する第１指向性マイクロホンと、第２方向から到来した音に対して高い感度を有する第２指向性マイクロホンを収音部１７に設けておき、第１及び第２指向性マイクロホンの出力から音響信号３１１及び３１２を得るようにしても良い。
【００２９】
カメラ１は、撮影モード、再生モード及び検索モードを含む複数の動作モードの何れかにて動作することができる。操作部１６に入力されたモード選択操作に従って動作モードが変更される。検索モードは、再生モードの中で実現される動作モードであっても良い。再生モード又は検索モードにおいて、表示部１４は、カメラ１に接続された、カメラ１の外部表示装置（テレビ装置等）であっても良い。
【００３０】
検索モードにおいて、図１のファイル検索部２０は、記録媒体１５に記録された複数の画像ファイルの中から、検索条件に合致する画像ファイルを検索及び抽出することができる。ユーザは、操作部１６を用いて検索条件を任意に設定することができる。今、図８に示す如く、記録媒体１５に画像ファイルＦＬ［１］〜ＦＬ［ｎ］が記録されており、画像ファイルＦＬ［ｉ］の本体領域に画像ＩＭ［ｉ］の画像データが格納されているとする（ｎは２以上の整数；ｉは任意の整数）。この場合、検索部２０は、画像ファイルＦＬ［１］〜ＦＬ［ｎ］の中から、与えられた検索条件に合致する画像ファイルを検索及び抽出することができる。抽出結果は表示部１４に表示される。
【００３１】
上述のカメラ１に関する詳細な構成例、動作例又は応用技術等について、以下の複数の実施例の中で説明する。矛盾無き限り、以下に示す複数の実施例の内、任意の２以上の実施例を組み合わせることが可能であり、また、任意の或る実施例の記載事項を任意の他の実施例に適用することができる。
【００３２】
＜＜第１実施例＞＞
本発明の第１実施例を説明する。第１実施例では、撮影モードにおいて対象静止画像を取得する場合の動作を説明する。図９は、第１実施例に係るカメラ１の動作フローチャートである。
【００３３】
撮影モードの動作が開始すると、ステップＳ１１にてスルー処理が開始され、続いてステップＳ１２にて文字データ表示処理が開始される。文字データ表示処理は、表示部１４及び取得部１９を用いて主制御部１３（例えば主制御部１３内の表示制御部）により実現される。文字データ表示処理では、収音部１７による現在の出力音響信号に基づく文字データが、スルー処理で表示されるフレームに重畳してリアルタイムに表示される。図１０に、スルー処理及び文字データ表示処理の開始後の表示画面の様子を示す。図１０の例では、被写体側音響信号３１１に基づく「あっちにゾウさんがいるよ」という文字データ４０１及び撮影者側音響信号３１２に基づく「ゾウさん、大きいね」という文字データ４０２が、現フレームと共に表示されている。
【００３４】
文字データ表示処理において、主制御部１３は、図１１に示す如く、表示部１４の表示画面内に互いに異なる表示領域ＡＲ１及びＡＲ２を設定し、表示領域ＡＲ１に被写体側音響信号３１１に基づく文字データ（図１０では文字データ４０１）を表示すると共に表示領域ＡＲ２に撮影者側音響信号３１２に基づく文字データ（図１０では文字データ４０２）を表示する。図１１では、表示画面の中心より上方側、下方側に表示領域ＡＲ１、ＡＲ２が設定されている。但し、表示領域ＡＲ１及びＡＲ２の位置はこれに限定されない。また、文字データ表示処理において、主制御部１３は、表示画面の右側から左側に向けて文字データ（４０１、４０２）の表示位置が移動してゆくようにする（文字が表示画面上を流れていくような表示処理を行う）。尚、表示画面について、上下左右は、表示画面に正対する人物（撮影モードでは撮影者ＰＴＧ）から見た上下左右であるとする。文字データを得るための文字変換処理がサーバ装置１００（図３参照）で行われる場合、音響信号３１１及び３１２に基づく音響データのサーバ装置１００へのリアルタイム送信処理及びサーバ装置１００から返信される文字データの受信処理が文字データ表示処理に含まれ、更に、サーバ装置１００での文字変換処理が文字データ表示処理に関与する。
【００３５】
被写体ＳＵＢの発声が一定時間以上途切れた時点で、それまでの音響信号３１１から、ひとかたまりの文字データを生成し、それを１つの文字データとして表示領域ＡＲ１に表示することができる。被写体ＳＵＢの発声が所定時間以上連続している場合には、任意の時間長で区切って被写体ＳＵＢの文字データを生成しても良い。撮影者ＰＴＧの発声についても同様である。即ち、撮影者ＰＴＧの発声が一定時間以上途切れた時点で、それまでの音響信号３１２から、ひとかたまりの文字データを生成し、それを１つの文字データとして表示領域ＡＲ２に表示することができる。撮影者ＰＴＧの発声が所定時間以上連続している場合には、任意の時間長で区切って撮影者ＰＴＧの文字データを生成しても良い。
【００３６】
スルー処理及び文字データ表示処理の開始後、ステップＳ１３にて、操作部１６は、表示されている文字データの全部又は一部を選択する文字選択操作を受け付ける。文字選択操作が入力された場合、主制御部１３は、ステップＳ１４にて、選択された文字データを対象文字データに含めてからステップＳ１５への移行を発生させる（対象文字データの意義は後述の説明から明らかとなる）。文字選択操作が入力されていない場合には、ステップＳ１３からステップＳ１５に直接進む。
【００３７】
撮影者ＰＴＧは、表示されている文字データの中に所望の文字データが存在する場合、当該所望の文字データを文字選択操作によって選択及び指定する。文字選択操作は、機械式操作部材（ボタン、十字キー等）にて実現されても良いが、ここでは、表示部１４にタッチパネルが設けられていて、表示されている所望の文字データを操作体（例えば指又はタッチペン）にて触れる操作により文字選択操作が実現されるものとする。そうすると、例えば、図１０に示す表示が成されている状態において、撮影者ＰＴＧが文字データ４０１を指にて触れることで文字データ４０１が選択されて対象文字データに含められることになる。文字データ４０２及び図１０に示されていない他の文字データについても同様である。
【００３８】
ステップＳ１５において、主制御部１３は、操作部１６に所定のシャッタ操作が入力されたか否かをチェックする。シャッタ操作は、対象静止画像の撮影及び記録指示に相当する。シャッタ操作が入力されていない場合にはステップＳ１３に戻るが、シャッタ操作が入力された場合にはステップＳ１６に進む。
【００３９】
ステップＳ１６において、撮像部１１により対象静止画像の撮影が行われる。続くステップ１７において、主制御部１３は、対象静止画像の画像データを本体領域に格納し且つ対象文字データをヘッダ領域に格納した画像ファイルを記録媒体１５に記録する。これにより、文字選択操作にて選択された文字データが対象静止画像の画像データに関連付け記録されることになる。画像ファイルがＥｘｉｆのファイル規格に準拠する場合、ヘッダ領域内のユーザコメントに対象文字データを埋め込むことができる。Ｅｘｉｆのファイル規格において、ユーザコメントは漢字を含む２バイト文字を利用可能であり、ユーザコメントに埋め込み可能な文字数は最大で２５６文字である。対象文字データは、対象画像に対応する画像ファイルのヘッダ領域に書き込まれるべき文字データ又は書き込まれた文字データに相当する。ステップＳ１７の後、ステップＳ１１に戻る。
【００４０】
ステップＳ１１〜Ｓ１７の１回分の処理により、１枚の対象静止画像が撮影及び記録される。図１２に如く、１回目のシャッタ操作により第１の対象静止画像が撮影及び記録され、２回目のシャッタ操作により第２の対象静止画像が撮影及び記録される。撮影モードの動作開始後、１回目のシャッタ操作が入力されるまでの期間は、第１の対象静止画像の撮影準備期間４３１に相当し、第１の対象静止画像の撮影後、２回目のシャッタ操作が入力されるまでの期間は、第２の対象静止画像の撮影準備期間４３２に相当する。撮影準備期間４３１において、第１の対象静止画像に対してステップＳ１１〜Ｓ１５の処理が行われ、期間４３１中の文字選択操作で選択された文字データが、対象文字データとして、第１の対象静止画像の画像データを格納した第１の画像ファイルのヘッダ領域に格納される。同様に、撮影準備期間４３２において、第２の対象静止画像に対してステップＳ１１〜Ｓ１５の処理が行われ、期間４３２中の文字選択操作で選択された文字データが、対象文字データとして、第２の対象静止画像の画像データを格納した第２の画像ファイルのヘッダ領域に格納される。
【００４１】
本実施例によれば、対象静止画像の撮影環境を反映した文字データを、簡単に画像ファイルに埋め込むことができる。膨大な数の画像ファイルを管理する際、管理に便利なツールが所望されるが、撮影者を含むユーザは、画像ファイルに埋め込まれた文字データを用いて画像ファイルを管理することができるようになり、利便性が高い。特に画像ファイル検索時には、画像ファイルに埋め込まれた文字データを用いて、所望の画像ファイルを容易に検索できるようになる。即ち、撮影時において撮影者が被写体に呼びかけている声や感動の呟き、被写体のコメントなどを撮影画像データに関連付けておくことで、大量の画像の中から所望画像をピンポイントで検索することが可能となる。
【００４２】
例えば、図８の画像ＩＭ［１］がステップＳ１６にて撮影された対象静止画像であって、且つ、ステップＳ１３、Ｓ１４及びＳ１７の処理を介して画像ファイルＦＬ［１］のヘッダ領域に図１０の文字データ４０１が格納されている（埋め込まれている）場合を考える。この場合において、ユーザが画像ファイルＦＬ［１］〜ＦＬ［ｎ］の中から画像ＩＭ［１］を探し出したいとき、画像ＩＭ［１］の撮影時には“ゾウ”が話題に上がっていたことをユーザが思い出したとする。或いは、“ゾウ”に関連する撮影画像の探索をユーザが希望していたとする。そうすると、ユーザは、検索モードにおいて、文字列“ゾウ”がヘッダ領域に含まれていることを検索条件に設定する。すると、検索条件に合致する画像ファイル、即ち、検索条件に対応する文字データ４０１がヘッダ領域に書き込まれている画像ファイルＦＬ［１］が、検索部２０により検索及び抽出される。
【００４３】
また、文字データ表示処理において、取得部１９により取得された文字データを繰り返し表示するようにしても良い。例えば、文字データ４０１に対応する被写体ＳＵＢの音響信号が取得されて文字データ４０１が表示された後、所定時間をおいて文字データ４０１を再度表示するようにしても良い。文字データ４０１の繰り返し表示回数は３回以上でも良い。文字データ４０１以外の文字データについても同様である。但し、表示部１４は、文字データ４０１が文字選択操作によって選択された後、当該文字データ４０１を再び表示する際、その選択の前との比較において文字データ４０１の表示形式を変化させると良い。文字データ４０１以外の文字データについても同様である。これにより、ユーザは表示されている文字データが選択済みであるか否かを容易に認識することができ、同一の文字データの重複選択が抑制される。
【００４４】
例えば、文字データ４０１が文字選択操作によって選択される前には、黒色にて文字データ４０１を表示し、文字データ４０１が文字選択操作によって選択された後、再度文字データ４０１を文字データ表示処理にて表示する際には、文字データ４０１を赤色にて表示する。文字データ４０１の表示形式の変化は、表示色の変化に限定されず、文字データ４０１が文字選択操作によって既に選択されているか否かが視覚的に認識できる形であれば、任意である。例えば、当該選択の後だけ、文字データ４０１の点滅させる、文字データ４０１に所定マーカ（文字データ４０１を囲む枠等）を付与するなどの方法を採用できる。
【００４５】
また、主制御部１３は、撮像部１１の出力画像信号に基づき撮影画像上における被写体ＳＵＢの位置を検出すると共に実空間上におけるカメラ１及び被写体ＳＵＢ間の位置関係を検出し、それらの検出結果を用いて、領域３１０の角度φ310を設定しても良い（図１３参照）。角度φ310は、カメラ１の中心又は重心から見た領域３１０の広がり角である。この際、領域３１０が被写体ＳＵＢを含む範囲で、なるだけ角度φ310を小さくすると良い。上述したように、音響信号取得部４０（図７参照）が取得する被写体側音響信号３１１は、領域３１０内の位置からカメラ１に向かう音の信号成分にて形成されるため、角度φ310を小さくすることで、被写体ＳＵＢとカメラ１との距離が比較的大きくても被写体ＳＵＢの声を収音部１７にて拾いやすくなる。上述の指向性制御を用いれば角度φ310を任意に設定可能である。
【００４６】
撮影者により所定のズーム操作が操作部１６に入力されると、ズームレンズ３０の位置調整を介して撮像部１１の撮影画角が変化する（即ち光学ズーム倍率が変化する）。撮影画角が小さいとき（即ち光学ズーム倍率が大きいとき）、被写体ＳＵＢ及びカメラ１間の距離は比較的大きいと推測され、このような場合には、被写体ＳＵＢの声を収音部１７にて拾いにくい。そこで、主制御部１３は、撮像部１１の撮影画角に応じて角度φ310を設定しても良い。この際、撮影画角が小さくなるほど角度φ310を小さくすると良い。典型的には例えば、角度φ310を撮影画角に一致させる。
【００４７】
＜＜第２実施例＞＞
本発明の第２実施例を説明する。矛盾無き限り、第１実施例にて述べた事項を第２実施例及び後述の第３〜第５実施例に適用することができる。第２実施例では、撮影モードにおいて対象動画像を取得する場合の動作を説明する。図１４は、第２実施例に係るカメラ１の動作フローチャートである。
【００４８】
撮影モードの動作が開始すると、第１実施例と同様、ステップＳ１１〜Ｓ１４の処理が実行される。但し、第２実施例において、ステップＳ１４の処理後はステップＳ２１に移行し、且つ、ステップＳ１３にて文字選択操作の入力が無かった場合はステップＳ１３からステップＳ２１へ直接移行する。
【００４９】
ステップＳ２１において、主制御部１３は、対象動画像の撮影及び記録の開始指示に相当する所定の録画開始操作が操作部１６に入力されたか否かをチェックする。録画開始操作が入力されていない場合にはステップＳ１３に戻るが、録画開始操作が入力された場合にはステップＳ２２に進む。
【００５０】
ステップＳ２２において、主制御部１３は、対象動画像の録画を開始する。即ち、録画開始操作の入力後、後述の録画終了操作が入力されるまでの録画期間中のフレームの画像データが、録画フレームの画像データとして、順次、記録媒体１５に記録される。録画期間中の録画フレームから対象動画像が形成される。録画の開始の際、主制御部１３は、対象動画像の画像データ格納用の画像ファイルを記録媒体１５内に作成し、当該画像ファイルにアクセス可能にするためのファイルオープン処理を行う。説明の具体化のため、ここで作成された画像ファイルは画像ファイルＦＬ［２］であるとする（図８参照；従って対象動画像は画像ＩＭ［２］であるとする）。
【００５１】
ステップＳ２２にて録画が開始した後、録画期間中では、ステップＳ２３〜Ｓ２６から成る一連の処理が録画終了まで繰り返し実行される。ステップＳ２２に続くステップＳ２３にて、主制御部１３は、表示部１４及び取得部１９を用いて文字データ表示処理を行いながら録画フレームを表示する。ステップＳ２３における文字データ表示処理は、第１実施例で述べた文字データ表示処理と同様である。但し、ステップＳ２３にて表示される文字データは、録画期間中の収音で得られた音響信号に基づくものであり、最新の録画フレームに重畳して表示される。ステップＳ２４において、操作部１６は、録画フレームに重畳して表示されている文字データの全部又は一部を選択する文字選択操作を受け付ける。文字選択操作が入力された場合、主制御部１３は、ステップＳ２５にて、選択された文字データを対象文字データに含めてからステップＳ２６への移行を発生させる。文字選択操作が入力されていない場合には、ステップＳ２４からステップＳ２６に直接進む。
【００５２】
ステップＳ２６において、主制御部１３は、対象動画像の撮影及び記録の終了指示に相当する所定の録画終了操作が操作部１６に入力されたか否かをチェックする。録画終了操作が入力されていない場合にはステップＳ２３に戻るが、録画終了操作が入力された場合にはステップＳ２７に進む。
【００５３】
ステップＳ２７において録画を終了する。即ち、ステップＳ２７において、主制御部１３は、画像ファイルＦＬ［２］のアクセスを終了するファイルクローズ処理を行って対象動画像の記録処理を完了する。この際、主制御部１３は、ステップＳ１４及びＳ２５にて対象文字データに含められた選択文字データを、画像ファイルＦＬ［２］のヘッダ領域に格納する（即ち書き込む）。これにより、選択文字データが対象動画像の画像データに関連付け記録される。選択文字データのヘッダ領域への書き込みは、録画期間中に（例えばステップＳ２５にて）行っても良い。ステップＳ２７の後、ステップＳ１１に戻る。
【００５４】
本実施例によれば、対象動画像の撮影環境を反映した文字データを、簡単に画像ファイルに埋め込むことができる。第１実施例でも述べたように、特に画像ファイル検索時には、画像ファイルに埋め込まれた文字データを用いて、所望の画像ファイルを容易に検索できるようになる。
【００５５】
例えば、ステップＳ１３及びＳ１４又はステップＳ２４及びＳ２５の処理を介して画像ファイルＦＬ［２］のヘッダ領域に、「富士山きれいだね」という文字データが格納されている（埋め込まれている）場合を考える。この場合において、ユーザが画像ファイルＦＬ［１］〜ＦＬ［ｎ］の中から画像ＩＭ［２］を探し出したいとき、画像ＩＭ［２］の撮影時には“富士山”が話題に上がっていたことをユーザが思い出したとする。或いは、“富士山”に関連する撮影画像の探索をユーザが希望していたとする。そうすると、ユーザは、検索モードにおいて、文字列“富士山”がヘッダ領域に含まれていることを検索条件に設定する。すると、検索条件に合致する画像ファイル、即ち、検索条件に対応する対象文字データ（「富士山きれいだね」）がヘッダ領域に書き込まれている画像ファイルＦＬ［２］が、検索部２０により検索及び抽出される。
【００５６】
上述の説明から理解されるが、第２実施例において、ステップＳ１１〜Ｓ１４の処理が実行される期間は対象動画像の撮影準備期間に相当し、ステップＳ２３〜Ｓ２６（又はＳ２２〜Ｓ２７）の処理が実行される期間は対象動画像の撮影期間（即ち録画期間）に相当する。第２実施例において、ステップＳ１２〜Ｓ１４の処理の実行を割愛することも可能である。この場合は、ステップＳ１１の後、ステップＳ２１に直接移行する。或いは、対象動画像の撮影期間（即ち録画期間）中における文字データ表示処理の実行を割愛しても良い。この場合、ステップＳ２４及びＳ２５の処理が削除される。
【００５７】
＜＜第３実施例＞＞
本発明の第３実施例を説明する。第３実施例では、再生モードにおけるカメラ１の動作を説明する。再生モードにおいて、主制御部１３は、操作部１６への入力操作内容に応じ、任意の画像ファイルのヘッダ領域の格納内容（上述の対象文字データを含む）を、自由に編集、追加、削除及び修正することができる。例えば、文字変換処理にて文字誤認識が発生し、実際の発話内容と誤った文字データがヘッダ領域に格納されている場合、それを再生モードで修正することができる。再生モードにおいて、操作部１６を介した文字入力にて当該修正を行うこともできるし、修正が必要な文字に対応する発話を行って文字変換処理の再実行を介し当該修正を実現しても良い。
【００５８】
以下では、文字データの追加に関する特異な方法を説明する。今、再生モードにおいて、画像ファイルＦＬ［ｐ］内の画像ＩＭ［ｐ］が表示部１４にて再生（即ち表示）されていて、文字データ追加機能が有効になっているものとする（ｐはｎ以下の自然数）。ユーザは、操作部１６を用いて当該機能の有効／無効を選択することができる。画像ＩＭ［ｐ］は、第１又は第２実施例で述べた方法により記録媒体１５に記録された対象静止画像又は対象動画像であって良い。
【００５９】
画像ＩＭ［ｐ］が表示部１４にて表示されている再生期間において、収音部１７は収音によって音響信号を生成する。ここで生成される音響信号は、表示部１４の視聴者の声の信号成分を含む。文字データ取得部１９は、文字変換処理を介し、再生期間中の収音によって生成された音響信号に基づく文字データ（以下、視聴者文字データという）を取得する。そうすると、表示部１４は、主制御部１３の制御の下、画像ＩＭ［ｐ］と共に視聴者文字データ（再生中文字データ）を表示する。この時の表示の仕方は、上述の文字データ表示処理と同様である。即ち、再生期間中において、収音部１７による現在の出力音響信号に基づく視聴者文字データが、画像ＩＭ［ｐ］に重畳してリアルタイムに表示される。
【００６０】
図１５に、このときの表示画面の様子を示す。図１５の例では、再生期間中に表示部１４の視聴者が発した音声「ＡＢＣ動物園、おもしろかったね」の文字データ５０１が、視聴者文字データとして画像ＩＭ［ｐ］と共に表示されている。文字データ５０１の表示位置は任意である。このとき、主制御部１３は、表示画面の右側から左側に向けて視聴者文字データの表示位置が移動してゆくようにする（文字が表示画面上を流れていくような表示処理を行う）。視聴者の発声が一定時間以上途切れた時点で、それまでの音響信号から、ひとかたまりの文字データを生成し、それを１つの視聴者文字データとして表示することができる。視聴者の発声が所定時間以上連続している場合には、任意の時間長で区切って視聴者文字データを生成しても良い。
【００６１】
再生期間において、操作部１６は、表示されている視聴者文字データの全部又は一部を選択する文字選択操作を受け付ける。文字選択操作の方法は第１実施例で述べた通りである。即ち例えば、図１５に示す表示が成されている状態において、視聴者が、表示されている文字データ５０１を指にて触れることで文字データ５０１が選択される。文字選択操作が入力された場合、主制御部１３は、選択された視聴者文字データを記録媒体１５に記録する。この記録は、選択された視聴者文字データを画像ファイルＦＬ［ｐ］のヘッダ領域に追記することで実現される。従って、選択された視聴者文字データは対象文字データに含められることになる。
【００６２】
ヘッダ領域に書き込まれた対象文字データを用いて画像ファイルの検索ができることは上述した通りである。従って例えば、再生モードにおいて文字データ５０１が画像ファイルＦＬ［ｐ］のヘッダ領域に追記された後、検索モードにおいて、文字列“ＡＢＣ動物園”がヘッダ領域に含まれていることを検索条件に設定すると、検索部２０により、画像ファイルＦＬ［ｐ］が検索及び抽出される。
【００６３】
上述のような、再生期間中の音響信号に基づく文字データをヘッダ領域に埋め込む処理を行うことで、画像ファイルの検索性を更に向上させることが可能である。視聴者の発話内容は再生画像に対する感想等を含んでおり、これを同画像に関連付けておくことで、後から同画像を探し出しやすくなる。後の検索性向上を狙って、再生画像を特徴付けるような言葉を意図的に発して文字選択操作を成す、といった利用方法も考えられる（撮影モードでも同様）。
【００６４】
＜＜第４実施例＞＞
本発明の第４実施例を説明する。第４実施例でも再生モードにおけるカメラ１の動作を説明する。但し、第４実施例にて再生される画像ＩＭ［ｑ］は動画像であるとする（ｑはｎ以下の自然数）。従って、動画像ＩＭ［ｑ］の画像データを格納した画像ファイルＦＬ［ｑ］には、動画像ＩＭ［ｑ］に対応する音響データ（即ち、動画像ＩＭ［ｑ］の録画期間中に収音された音響信号に基づく音響データ）も格納されている。動画像ＩＭ［ｑ］は、第２実施例で述べた方法により記録媒体１５に記録された対象動画像であって良い。
【００６５】
再生モードにおいて、動画像ＩＭ［ｑ］の再生開始を指示する操作が操作部１６に入力されると、主制御部１３は動画像ＩＭ［ｑ］を再生する。動画像ＩＭ［ｑ］の再生は、表示部１４にて動画像ＩＭ［ｑ］を表示することと、その表示内容と同期して動画像ＩＭ［ｑ］に対応する音響データをスピーカ部２１から音として出力することを含む。
【００６６】
再生期間において、取得部１９は、文字変換処理を介して、画像ファイルＦＬ［ｑ］内の音響データに基づく文字データ（以下、再生時変換文字データという）を取得する。そうすると、表示部１４は、主制御部１３の制御の下、動画像ＩＭ［ｑ］と共に再生時変換文字データを表示する。この時の表示の仕方は、上述の文字データ表示処理と同様である。即ち、再生期間中において、再生時変換文字データが、動画像ＩＭ［ｑ］に重畳して表示される。
【００６７】
図１６に、このときの表示画面の様子を示す。図１６の例では、再生期間中に、画像ファイルＦＬ［ｑ］内の音響データに基づく音声「富士山が見えたぞ」の文字データ５５１が、再生時変換文字データとして動画像ＩＭ［ｑ］と共に表示されている。文字データ５５１の表示位置は任意である。このとき、主制御部１３は、表示画面の右側から左側に向けて再生時変換文字データの表示位置が移動してゆくようにする（文字が表示画面上を流れていくような表示処理を行う）。画像ファイルＦＬ［ｑ］内の音響データに基づく人の発声音が一定時間以上途切れた時点で、それまでの音響データから、ひとかたまりの再生時変換文字データを生成し、それを１つの再生時変換文字データとして表示することができる。発声音が所定時間以上連続している場合には、任意の時間長で区切って再生時変換文字データを生成しても良い。
【００６８】
再生期間において、操作部１６は、表示されている再生時変換文字データの全部又は一部を選択する文字選択操作を受け付ける。文字選択操作の方法は第１実施例で述べた通りである。即ち例えば、図１６に示す表示が成されている状態において、視聴者が、表示されている文字データ５５１を指にて触れることで文字データ５５１が選択される。文字選択操作が入力された場合、主制御部１３は、選択された再生時変換文字データを記録媒体１５に記録する。この記録は、選択された再生時変換文字データを画像ファイルＦＬ［ｑ］のヘッダ領域に追記することで実現される。従って、選択された再生時変換文字データは対象文字データに含められることになる。
【００６９】
ヘッダ領域に書き込まれた対象文字データを用いて画像ファイルの検索ができることは上述した通りである。従って例えば、再生モードにおいて文字データ５５１が画像ファイルＦＬ［ｑ］のヘッダ領域に追記された後、検索モードにおいて、文字列“富士山”がヘッダ領域に含まれていることを検索条件に設定すると、検索部２０により、画像ファイルＦＬ［ｑ］が検索及び抽出される。
【００７０】
第２実施例では録画期間中に行っていた文字データの選択及びヘッダ領域への記録を、第４実施例では、上述の如く、再生期間中に実行する。これによっても、第２実施例と同様、所望の画像ファイルの検索容易化が実現される。
【００７１】
上述の第３実施例と第４実施例を組み合わせることも可能である。この場合、再生期間において、取得部１９は、画像ファイルＦＬ［ｑ］内の音響データに基づく再生時変換文字データを取得する一方で、第３実施例で述べた方法により視聴者文字データを取得する。そうすると、表示部１４は、主制御部１３の制御の下、動画像ＩＭ［ｑ］と共に再生時変換文字データ及び視聴者文字データを表示する。この時の表示の仕方は、上述の文字データ表示処理と同様である。即ち、再生期間中において、再生時変換文字データ及び視聴者文字データが、動画像ＩＭ［ｑ］に重畳して表示される。
【００７２】
図１７に、このときの表示画面の様子を示す。図１７の例では、再生期間中に、再生時変換文字データ５５１及び視聴者文字データ５６１が動画像ＩＭ［ｑ］と共に表示されている。再生時変換文字データと視聴者文字データを別々の表示領域に表示すると良い（例えば、前者を表示領域ＡＲ１に表示し、後者を表示領域ＡＲ２に表示する；図１１参照）。各文字データの表示方法は上述したものと同様であって良い。
【００７３】
そして、再生期間において、操作部１６は、表示されている再生時変換文字データの全部又は一部或いは視聴者文字データの全部又は一部を選択する文字選択操作を受け付ける。文字選択操作が入力された場合、主制御部１３は、選択された再生時変換文字データ又は視聴者文字データを、画像ファイルＦＬ［ｑ］のヘッダ領域に追記することで記録媒体１５に記録する。従って、選択された再生時変換文字データ又は視聴者文字データは対象文字データに含められることになる。ヘッダ領域に書き込まれた対象文字データを用いて画像ファイルの検索ができることは上述した通りである。
【００７４】
尚、動画像ＩＭ［ｑ］の再生中に視聴者文字データの取得を行う場合、視聴者の発声と画像ファイルＦＬ［ｑ］内の音響データ中の音声との混同を避けるべく、画像ファイルＦＬ［ｑ］内の音響データのスピーカ部２１からの出力を行わないようにしても良い。
【００７５】
＜＜第５実施例＞＞
本発明の第５実施例を説明する。第３又は第４実施例で述べた再生モードにおける動作が実現されるとき、カメラ１は画像再生装置として機能する。カメラ１は、画像再生装置を内包していると考えても良い（図１８（ａ）参照）。カメラ１と異なる画像再生装置２を形成しても良い（図１８（ｂ）参照）。画像再生装置２は、図１の符号１１〜２１によって参照される各部位を備えていて良い。そうすると、画像再生装置２にて、再生モード及び検索モードにおけるカメラ１の動作と同等の動作を実現することができる。但し、画像再生装置２から、撮像部１１及び画像信号処理部１２は割愛されても良いし、収音部１７も割愛されうる。
【００７６】
カメラ１に内包される画像再生装置又は画像再生装置２は、対象画像の画像データ及び音響データの入力を受けるデータ入力部（不図示）を有している。当該データ入力部は、例えば、記録媒体１５から画像ファイル内の画像データ及び音響データの提供を受ける。
【００７７】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈３を記す。各注釈に記載した内容は、矛盾なき限り、任意に組み合わせることが可能である。
【００７８】
［注釈１］
対象文字データを対象画像の画像データへ関連付ける方法は任意であり、当該関連付けが実現される限り、対象文字データが画像ファイルのヘッダ領域に埋め込まれる必要は必ずしも無い。
【００７９】
［注釈２］
カメラ１を内蔵した任意の電子機器を形成しても良い。電子機器は、携帯電話機（所謂スマートフォンを含む）、携帯情報端末（所謂タブレットを含む）、パーソナルコンピュータ、電子書籍リーダ、電子辞書、ゲーム機器又はナビゲーション装置等である。尚、カメラ１も電子機器の一種である。ファイル検索部２０にて実現される機能は、カメラ１に限らず、任意の電子機器上で実現できる。
【００８０】
［注釈３］
カメラ１又は画像再生装置２である対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておき、該プログラムをプログラム実行装置（例えば、対象装置に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒体は対象装置と異なる機器（サーバ機器等）に搭載又は接続されても良い。
【符号の説明】
【００８１】
１  カメラ
２  画像再生装置
１１  撮像部
１３  主制御部
１４  表示部
１６  操作部
１７  収音部
１９  文字データ取得部
２０  ファイル検索部
４０  音響信号取得部
ＳＵＢ  被写体
ＰＴＧ  撮影者
【図１】
2014216904.tif 000003
【図２】
2014216904.tif 000004
【図３】
2014216904.tif 000005
【図４】
2014216904.tif 000006
【図５】
2014216904.tif 000007
【図６】
2014216904.tif 000008
【図７】
2014216904.tif 000009
【図８】
2014216904.tif 000010
【図９】
2014216904.tif 000011
【図１０】
2014216904.tif 000012
【図１１】
2014216904.tif 000013
【図１２】
2014216904.tif 000014
【図１３】
2014216904.tif 000015
【図１４】
2014216904.tif 000016
【図１５】
2014216904.tif 000017
【図１６】
2014216904.tif 000018
【図１７】
2014216904.tif 000019
【図１８】
2014216904.tif 000020